(57)【要約】      （修正有）【課題】設置や収納のためのスペースを小さくしたり搬送時のコストを小さくしたりすることができるとともに、据え付け作業の労力を軽減し、かつ賃貸式住居等でも使用できる折畳み式腰痛治療具を提供する。【解決手段】姿勢保持体の側部で固定して、左右方向に伸びる把手４を、姿勢保持体から着脱自在に設けると共に、姿勢保持体を、上下方向の中央の接続部で二つ折りに折り曲げ自在な構成とする。【選択図】図２
0003188611.tif 000002
【実用新案登録請求の範囲】
【請求項１】
鉛直軸心を有する筒体ケーシングと、
弾性体を介して前記筒体ケーシングの軸方向に滑動可能に配置した中間部材と、
前記筒体ケーシングの上端より露出するように、この中間部材の上端に取り付けた尾骨押圧子と、を備えると共に、
前記尾骨押圧子に尾てい骨を当てる際に、使用者の背中が接触すべき姿勢保持面を有する姿勢保持ボードを備えた姿勢保持体と、
前記姿勢保持体の側部で、使用者の脇下から腰までの間のいずれかの位置に取り付けた把手と、を備えて、前記尾骨押圧子に尾てい骨を当てながら、前記把手に使用者の腕をからめるようにして成る腰痛治療具において、
前記把手を、前記姿勢保持体に対し着脱自在に設けると共に、
前記姿勢保持体を中央の接続部で二つ折りに折り曲げ自在に構成することを特徴とする折畳み式腰痛治療具。
【請求項２】
前記姿勢保持体をパイプ材により形成して、
前記接続部より下方の下フレームと上方の上フレームの、一方を他方に挿入すると共に、
前記接続部の外周に接続リングを嵌めて上下のフレームを直線状に接続して前記姿勢保持体を構成するようにして成る請求項１記載の折畳み式腰痛治療具。
【請求項３】
前記姿勢保持体に垂直に設けた水平台座板に前記筒体ケーシングを設置すると共に、
この筒体ケーシングの側部に、前記尾骨押圧子よりも弾性係数が小さい補助弾性体を設けることを特徴とする請求項１又は請求項２に記載の折畳み式腰痛治療具。
【請求項４】
前記姿勢保持体の鉛直姿勢を保持する水平基礎フレームを設け、
この水平基礎フレームには二以上の姿勢調整用スタンドを設けると共に、
移動用キャスターを設けたことを特徴とする請求項１から請求項３のいずれか１項に記載の折畳み式腰痛治療具。
【請求項５】
前記筒体ケーシングの前後位置を、
調整可能に構成したことを特徴とする請求項１から請求項４のいずれか１項に記載の折畳み式腰痛治療具。
【考案の詳細な説明】
【技術分野】
【０００１】
本考案は、折畳み式の腰痛治療具に関するものである。
【背景技術】
【０００２】
腰痛を緩和するためには骨盤矯正が最も一般的な方法である。特許文献１に記載の腰痛治療具を用いることで、腰椎にとって安定した状態である「立位」で骨盤の矯正がなされると共に、使用者自身の体重を利用して尾骨を押圧することにより安全且つ適正に骨盤を矯正することができる。これにより腰痛に対して持続的に痛みを和らげることができる。
【先行技術文献】
【特許文献】
【０００３】
【特許文献１】国際公開第２０１２／１２４１７５号
【考案の概要】
【考案が解決しようとする課題】
【０００４】
しかし特許文献１に記載の腰痛治療具は、一日の使用時間が数十分であるにもかかわらず、設置や収納の大きなスペースを設ける必要があった。即ち「立位」の姿勢を保持するための姿勢保持体が一枚の板状部材であり、収納時も使用時と同様のスペースが必要になると共に、商品納入時などの搬送時のコストが大きくなるという問題があった。更にいわゆる据え付け式であったため、据え付け作業に労力を要する必要があると共に、日本の住宅事情では、設置できない住居が多いという問題もあった。よって設置や収納のためのスペースを小さくしたり搬送時のコストを小さくしたりすることができるとともに、据え付け作業の労力を軽減し、かつ賃貸式住居等でも使用できる腰痛治療具を提供することが、本考案が解決しようとする課題である。
【課題を解決するための手段】
【０００５】
本考案は、上記課題を解決すべく次のような技術的手段を講じた。
すなわち、請求項１記載の考案は、鉛直軸心を有する筒体ケーシング７と、弾性体１０を介して前記筒体ケーシング７の軸方向に滑動可能に配置した中間部材９と、前記筒体ケーシング７の上端より露出するように、この中間部材９の上端に取り付けた尾骨押圧子１１と、を備えると共に、前記尾骨押圧子１１に尾てい骨を当てる際に、使用者の背中が接触すべき姿勢保持面を有する姿勢保持ボード２を備えた姿勢保持体２０と、前記姿勢保持体２０の側部で、使用者の脇下から腰までの間のいずれかの位置に取り付けた把手４と、を備えて、前記尾骨押圧子１１に尾てい骨を当てながら、前記把手４に使用者の腕をからめるようにして成る腰痛治療具において、前記把手４を、前記姿勢保持体２０に対し着脱自在に設けると共に、前記姿勢保持体２０を中央の接続部で二つ折りに折り曲げ自在に構成することを特徴とする折畳み式腰痛治療具である。
【０００６】
また、請求項２記載の考案は、前記姿勢保持体２０をパイプ材により形成して、前記接続部より下方の下フレーム２０ｂと上方の上フレーム２０ａの、一方を他方に挿入すると共に、前記接続部の外周に接続リング２０ｃを嵌めて上下のフレーム２０ａ、２０ｂを直線状に接続して前記姿勢保持体２０を構成するようにして成る請求項１記載の折畳み式腰痛治療具である。
【０００７】
また、請求項３記載の考案は、前記姿勢保持体２０に垂直に設けた水平台座板６に前記筒体ケーシング７を設置すると共に、この筒体ケーシング７の側部に、前記尾骨押圧子１１よりも弾性係数が小さい補助弾性体２６を設けることを特徴とする請求項１又は請求項２に記載の折畳み式腰痛治療具である。
【０００８】
また、請求項４記載の考案は、前記姿勢保持体２０の鉛直姿勢を保持する水平基礎フレーム２３、２３を設け、この水平基礎フレーム２３、２３には二以上の姿勢調整用スタンド２４、・・・を設けると共に、移動用キャスター２５、２５を設けたことを特徴とする請求項１から請求項３のいずれか１項に記載の折畳み式腰痛治療具である。
【０００９】
また、請求項５記載の考案は、前記筒体ケーシング７の前後位置を、調整可能に構成したことを特徴とする請求項１から請求項４のいずれか１項に記載の折畳み式腰痛治療具である。
【考案の効果】
【００１０】
請求項１記載の考案によれば、左右に伸長した把手４を姿勢保持体２０から着脱自在に設けることにより、腰痛治療具を使用しない時は、把手４を取り外すことで腰痛治療具の左右幅を小さくすることができる。
【００１１】
また、上下方向に長い姿勢保持体２０を、上下方向の中央の接続部で二つ折りに折り曲げ自在に構成したことにより、腰痛治療具を使用しない時は、腰痛治療具の上下高さを小さくすることができる。
【００１２】
これらの構成から、腰痛治療具を使用しない時は、腰痛治療具全体をコンパクトにでき、設置又は収納スペースを小さくすることができると共に、搬送時には腰痛治療具を折り畳んで小さくし、搬送時のコストを抑えることができる。
【００１３】
請求項２記載の考案によれば、請求項１記載の考案の効果に加えて、姿勢保持体２０をパイプ材により形成することにより、腰痛治療具の主要部材である姿勢保持体２０の重量を抑えることができる。これにより搬送コストを抑えることができる。
【００１４】
また、接続リング２０ｃにより上フレーム２０ａと下フレーム２０ｂとを固定して直線状にする構成としたことにより、組立分解作業が容易となる。これにより腰痛治療具を使用しない時に分解して、設置や収納スペースを小さくすることができる。
【００１５】
請求項３記載の考案によれば、請求項１又は請求項２に記載の考案の効果に加えて、筒体ケーシング７の側部に、尾骨押圧子１１よりも弾性係数が小さい補助弾性体２６を設けることにより、腰痛治療具の使用時に、急激に尾骨押圧子１１に使用者Ｐの全体重がかかることを防止できる。これにより腰痛治療具の使用が容易になる。
【００１６】
請求項４記載の考案によれば、請求項１から請求項３のいずれか１項に記載の考案の効果に加えて、水平基礎フレーム２３、２３に二以上の姿勢調整用スタンド２４、・・・を設けることにより、姿勢保持体２０の姿勢調整が容易となり、床等に据え付けのための固定をする必要がなく、簡易に腰痛治療具を用いることができる。これにより据え付け作業をする必要がなくなり、賃貸住宅等でも腰痛治療具を使用することができる。
【００１７】
また、腰痛治療具に移動用キャスター２５、２５を設けたことにより、腰痛治療具の搬送が容易となり、腰痛治療具を使用しない時に別の場所に収納することが容易となる。
【００１８】
請求項５記載の考案によれば、請求項１から請求項４のいずれか１項に記載の考案の効果に加えて、筒体ケーシング７の前後位置を、調整可能に構成したことにより、腰痛治療具の使用者Ｐの体格によって筒体ケーシング７の前後位置を変更できる。これにより体格の異なる複数の使用者Ｐに対しても、対応可能となる。
【図面の簡単な説明】
【００１９】
【図１】本考案の第一実施形態にかかる折畳み式腰痛治療具の使用時の斜視図である。
【図２】図１の折畳み式腰痛治療具の折畳み時の斜視図である。
【図３】図１の折畳み式腰痛治療具の筒体ケーシング周辺の斜視図である。
【図４】図３の筒体ケーシング周辺の正面断面図である。
【図５】図１の折畳み式腰痛治療具の使用直前の側面図である。
【図６】図１の折畳み式腰痛治療具の使用状態の側面図である。
【考案を実施するための形態】
【００２０】
上記技術思想に基づいて具体的に構成された実施の形態について以下に図面を参照しつつ説明する。
【００２１】
図１には、本考案の第一実施形態にかかる折畳み式腰痛治療具の使用時の斜視図を、図２には図１の折畳み式腰痛治療具の収納時の斜視図を、図３には図１の折畳み式腰痛治療具の筒体ケーシング７周辺の斜視図を、図４には図３の筒体ケーシング７周辺の正面断面図を、図５及び図６には図１の折畳み式腰痛治療具の使用時の側面図を示す。図５が使用直前の側面図、図６が使用状態にある側面図である。本稿においては、使用者Ｐが姿勢保持体２に対して背中を接触させている、図６の状態が通常の使用状態であり、この使用状態で使用者Ｐを基準として、折畳み式腰痛治療具について前後、左右、上下と表現する。
【００２２】
第一実施形態にかかる折畳み式腰痛治療具は、複数のパイプ材と鋼板とで使用者Ｐが座るための椅子形状の枠を構成し、その椅子形状の座面の部分に、尾骨に接触させる治療具を備える。
【００２３】
椅子形状の枠は、後方に位置する姿勢保持体２０と、治療具を載置するための水平台座板６を姿勢保持体２０と共に支える２本のサブフレーム２１、２１とを、サポートボード２２に立設する。サポートボード２２は、溝型鋼（Ｃ型鋼）の開口部を下に向け、左右の側面板の間を広くした形状であり、この左右の側面板に前後方向の水平フレーム２３、２３を設ける。水平フレーム２３、２３は使用者Ｐが腰痛治療具に腰かけた際に、腰痛治療具の鉛直姿勢の保持が容易になるように、前方向に伸びる構成である。
【００２４】
姿勢保持体２０は、２本のパイプ材からなる下フレーム２０ｂ、２０ｂと、１本のパイプ材を「コ」の字状に曲折し、開口部を下に向けた上フレーム２０ａと、により構成する。上フレーム２０ａと下フレーム２０ｂは同径のパイプ材であり、これらのパイプ材を接続リング２０ｃに挿入し、固定して直線状にすることで、姿勢保持体２０を図１に示す使用状態にすることができる。具体的には、接続リング２０ｃの上部内径に設けた雌ねじと、上フレーム２０ａの下部に設けた雄ねじとを螺合させることで、上フレーム２０ａと下フレーム２０ｂとを固定し、直線状にする。
【００２５】
また、図２に示すように上フレーム２０ａは下フレーム２０ｂに対して、上下方向の中央の接続部で二つ折りに折り曲げ自在な構成とする。具体的には、上フレーム２０ａの下端部に前後の溝を設け、この溝の左右の壁に亘る左右の回動軸を設けると共に、下フレーム２０ｂの上端部も同様の回動軸を設け、これらの溝の間にプレートを配置すると共にプレートの両端が二つの回動軸を中心に回動可能とする。この構成により上フレーム２０ａが下フレーム２０ｂに対して屈曲可能となる。そして接続リング２０ｃにより直線状になっていた上フレーム２０ａと下フレーム２０ｂに対して、接続リング２０ｃと上フレーム２０ａの螺合を解くと、図２に示すように下フレーム２０ｂの後方に上フレーム２０ａを位置させることができる。
【００２６】
「コ」の字状の上フレーム２０ａの前側には、板状の姿勢保持ボード２を着脱自在に設ける。具体的には姿勢保持ボード２の左右両端に後方に向けて側板を設けると共に、この側板に左右外側から内側に向かう押圧体（不図示）を設け、上フレーム２０ａを左右両側から押圧することで姿勢保持体２０を構成する上フレーム２０ａに姿勢保持ボード２を固定する。固定した状態が、図１に示す折畳み式腰痛治療具の使用時の状態である。押圧体を操作することで、使用者Ｐは上フレーム２０ａから姿勢保持ボード２を取り外すことができる。
【００２７】
姿勢保持ボード２の側板の略上下中央には、左右方向に伸びる把手４、４を設ける。把手４、４を姿勢保持ボード２に設けたことで、把手４、４は姿勢保持体２０から着脱自在となる。
【００２８】
左右に伸長した把手４、４を姿勢保持体２０から着脱自在に設けることにより、腰痛治療具を使用しない時は、把手４、４を取り外すことで腰痛治療具の左右幅を小さくすることができる。
【００２９】
また、上下方向に長い姿勢保持体２０を、上下方向に屈曲可能な構成としたことにより、腰痛治療具を使用しない時は、腰痛治療具の上下高さを小さくすることができる。
【００３０】
これらの構成から、腰痛治療具を使用しない時は、腰痛治療具全体をコンパクトにでき、設置又は収納スペースを小さくすることができると共に、搬送時には腰痛治療具を折り畳んで小さくし、搬送時のコストを抑えることができる。
【００３１】
姿勢保持体２０を構成する上フレーム２０ａ及び下フレーム２０ｂをパイプ材により構成したことにより、腰痛治療具の主要部材である姿勢保持体２０の重量を抑えることができる。これにより搬送コストを抑えることができる。
【００３２】
また、接続リング２０ｃにより上フレーム２０ａと下フレーム２０ｂとを固定して直線状にする構成としたことにより、組立分解作業が容易となる。これにより腰痛治療具を使用しない時に分解して、設置や収納スペースを小さくすることができる。
【００３３】
椅子形状の座面に当たる水平台座部６は、左右一対のサブフレーム２１、２１の水平部の上に固定する。サブフレーム２１は、上フレーム２０ａと同径のパイプ材を９０度曲折し、水平部の後端部を下フレーム２０ｂに固定すると共に、鉛直部の下端部をサポートボード２２に固定する。
【００３４】
水平台座部６上には、上面開口穴を備え、鉛直軸心を有する有底円筒状の筒体ケーシング７を前後に調整可能なように固定する。具体的に、水平台座部６に、前後に延びる長孔を設け、その長孔を通して下方から筒体ケーシング７の底部をボルト１２で、水平台座部６に対し垂直に固定する。筒体ケーシング７は、使用者Ｐが背中を接触させるための鉛直面を有する姿勢支持ボード２と平行な軸心を有する。
【００３５】
この筒体ケーシング７の上面開口穴の内部には、弾性体１０としてコイルばねを収納すると共にこの筒体ケーシング７の軸方向に滑動可能に配置した中間部材９を設ける。この中間部材９は、筒体ケーシング７と同様有底円筒状であり、筒体ケーシング７の内周に、中間部材９の下部外周を遊嵌することで、筒体ケーシング７に対して上下に滑動可能とし、この中間部材９の上底部分で弾性体１０の上部を覆う。また、中間部材９の上端を凹球面とし、その凹球面には、ポリウレタン製の球体である尾骨押圧子１１を設ける。尾骨押圧子１１の球体の径は、中間部材９の凹球面の径と同じか、またはそれよりも小さい値とする。小さい値とした場合は、尾骨押圧子１１と共に中間部材の上面も、使用者Ｐの臀部に当たり、腰痛治療を促進する。なお、中間部材９の上面は凹球面としたが、例えば凹型の円錐形状とすることも可能である。また、弾性体１０としてコイルばねを用いたが、同等のばね定数を有する他の部材でも問題ない。
【００３６】
筒体ケーシング７の側部には、球体である尾骨押圧子１１よりも弾性係数が小さい補助弾性体２６を設ける。本実施形態で補助弾性体２６は直方体形状のスポンジであり、筒体ケーシング７を挟んで、左右に一対弾性体サポータ２７の上に設ける。ここで弾性係数とは、荷重Ｆを加えた方向へある物体が変位したときに、その変位量δとすると、Ｆ／δで表すことができるものとし、尾骨押圧子１１については、上下に負荷を加えた時の、上下方向の負荷と変形量の割合をいい、補助弾性体２６についても同様に、上下に負荷を加えた時の、上下方向の負荷と変形量の割合を言う。補助弾性体２６の材料はスポンジに限定されるものではなく、尾骨押圧子１１よりも弾性係数の小さい軟質ゴムや樹脂材料であっても問題ない。
【００３７】
筒体ケーシング７の側部に、尾骨押圧子１１よりも弾性係数が小さい補助弾性体２６を設けることにより、腰痛治療具の使用時に、急激に尾骨押圧子２６に使用者Ｐの全体重がかかることを防止できる。これにより腰痛治療具の使用が容易になる。
【００３８】
筒体ケーシング７の前後位置を、調整可能に構成したことにより、腰痛治療具の使用者Ｐの体格によって筒体ケーシング７の前後位置を変更できる。これにより体格の異なる複数の使用者Ｐに対しても、対応可能となる。
【００３９】
本実施形態にかかる折畳み式腰痛治療具は、サポートボード２２の左右の側面板に前後方向の水平基礎フレーム２３、２３を設け、この前端部及び後端部の４か所に姿勢調整用スタンド２４、・・・を配置する。更にサポートボード２２に左右一対の移動用キャスター２５、２５を設ける。またサポートボード２２の左右側部には一対の脚踏み台２８、２８を設ける。この脚踏み台２８、２８は、図１、図２の矢印が示すように、前後の回動軸を中心に倒伏自在に設ける。
【００４０】
水平基礎フレーム２３、２３に二以上の姿勢調整用スタンド２４、・・・を設けることにより、姿勢保持体２０の姿勢調整が容易となり、床等に固定しない状態で腰痛治療具を用いることができる。これにより据え付け作業をする必要がなくなり、賃貸住宅等でも腰痛治療具を使用することができる。
【００４１】
また、腰痛治療具に移動用キャスター２５、２５を設けたことにより、腰痛治療具の搬送が容易となり、腰痛治療具を使用しない時に別の場所に収納することが容易となる。
【００４２】
本考案の第一実施形態にかかる折畳み式腰痛治療具の使用方法について図５及び図６を用いて説明する。図５は、使用者Ｐが腰痛治療具の尾骨押圧子１１に尾てい骨を乗せる直前の状態を左側から見た側面図であり、図６は、使用者Ｐが尾骨押圧子１１に尾てい骨を乗せ、脚踏み台２８を折り畳み、全体重を尾骨押圧子１１に負荷した状態を左側から見た側面図である。使用者Ｐは、図２の状態で収納されていた折畳み式腰痛治療具を、使用場所まで移動用キャスター２５、２５を用いて移動させる。その際使用者Ｐは、前後に位置する下フレーム２０ｂと上フレーム２０ａの上部を保持し、腰痛治療具を前後に斜めにすることで、移動用キャスター２５、２５を床面に接地させて、腰痛治療具の移動を容易にする。
【００４３】
使用場所に腰痛治療具を移動させた後、姿勢調整用スタンド２４により、使用者は全体の姿勢を調整すると共に、筒体ケーシング７の前後位置を調整する。更に上フレーム２０ａを回動させ、下フレーム２０ｂの上方に移動させ、接続リング２０ｃにより固定し、上フレーム２０ａと下フレーム２０ｂとで直線状にする。そしてその状態で姿勢保持体２０に対して、使用者Ｐの体格に合わせて、姿勢保持ボード２を取付ける。この状態で、使用者Ｐは腰痛治療具を用いる。
【００４４】
使用者Ｐは、腰痛治療具に対して後ろ向きになり、脚踏み台２８、２８に両足を乗せ、姿勢保持体２０に固定した姿勢支持ボード２に背中を接触させ持たれかけると共に、把手４に手腕を絡め、図５に示す状態にする。「把手４に手腕を絡める」とは、把手４に上から後ろ方向に腕を回し、ひじの内側に把手が位置するようにし、前腕部を把手４の下側から前方向にもってくることをいい、この状態で使用者Ｐは、その姿勢を立位に維持したまま安定を保つことができる。この姿勢のままゆっくりと自己の尾骨が尾骨押圧子１１に接するように腰を下ろし、尾骨押圧子１１に体重をかける。体重をかけた状態で脚踏み台２８、２８から足を上げ、脚踏み台２８、２８を内側に収納する。更に体重をかけると、使用者Ｐの臀部等が補助弾性体２６を押し込むようになり、使用者Ｐの尾骨に対して一定以下の荷重しか作用しなくなる。この状態で使用者Ｐは数度上体を上下に動かして、腰痛の治療を行う。使用者Ｐは一日数回、２、３分程度この腰痛治療具を使用して腰痛の治療を行う。
【００４５】
尾骨押圧子１１は球形状であるので、腰痛治療具の使用者Ｐが尾骨押圧子１１に体重を付加したときに、その上部が凹み、適切に尾骨に尾骨押圧子１１からの力を作用させることができる。
【符号の説明】
【００４６】
１  折畳み式腰痛治療具
２  姿勢保持ボード
４  把手
６  水平台座板
７  筒体ケーシング
９  中間部材
１０  弾性体
１１  尾骨押圧子
１２  ボルト
２０  姿勢保持体
２０ａ  上フレーム
２０ｂ  下フレーム
２０ｃ  接続リング
２１  サブフレーム
２２  サポートボード
２３  水平基礎フレーム
２４  姿勢調整用スタンド
２５  移動用キャスター
２６  補助弾性体
２７  弾性体サポータ
２８  脚踏み台
Ｐ  使用者
【図１】
0003188611.tif 000003
【図２】
0003188611.tif 000004
【図３】
0003188611.tif 000005
【図４】
0003188611.tif 000006
【図５】
0003188611.tif 000007
【図６】
0003188611.tif 000008